(57)【要約】 【課題】胴縁が変形しても留め金具が容易に外れることのない外装パネル用の胴縁と留め金具の構造を提供することを目的とする。  【解決手段】外壁本体１に設けられる外装パネル２用の胴縁３と留め金具４は、前記胴縁３は屋外側に開口３ａを有する底面５と２側面６とからなる断面コ字状の長尺材で、両開口端部７には開口内部に向けてストッパー８が立設される。前記胴縁３の長手方向の任意の位置に前記留め金具４を嵌着するように、前記留め金具４の両側面１１に設けられる開口部４２から突出するリングバネ４４を備える。このリングバネ４４は前記胴縁３の対向するストッパー８の開口３ａから前記留め金具４を前記胴縁３の内部に挿入する際に、前記留め金具４の両側面６まで縮径することで挿入が容易にできて、前記留め金具４を胴縁３内に挿入すると自然に弾力的に拡径して前記胴縁３の側面６と前記ストッパー８に当接し係止することができる。【選択図】  図１
2007032077.tif 000002
【特許請求の範囲】
【請求項１】
建築物の外壁本体に設けられる外装パネル用の胴縁と留め金具の構造であって、
前記胴縁は屋外側に開口を有する底面と２側面とからなる断面コ字状の長尺材で、両開口端部には開口内部に向けてストッパーが立設され、
前記留め金具は底面と２側面とからなる断面コ字状の短尺材で、前記底面の外側に、外装パネルを挟込んでネジにより留め金具の底面に押付けて固着する取付片を備え、この取付片は留め金具と同幅で留め金具に平行な略矩形の挟込部と、留め金具から突起して挟込部の一辺と固着する突起部とからなり、
前記留め金具の底面に前記ネジ用の穿孔穴を設け、この穿孔穴に対向して取付片の挟込部に前記ネジ用の差込穴を設け、
前記胴縁の長手方向の任意の位置に前記留め金具を嵌着するように前記留め金具の両側面に設けられる開口部から突出するリングバネを備え、前記胴縁の対向するストッパーの隙間から前記留め金具を前記胴縁の内部に挿入する際に、前記リングバネは前記留め金具の両側面まで縮径するとともに前記留め金具を胴縁内に挿入すると拡径して前記胴縁の側面と前記ストッパーに係止するリングバネであることを特徴とする外装パネル用の胴縁と留め金具の構造。
【請求項２】
請求項１に記載の外装パネル用の胴縁と留め金具の構造であって、前記リングバネの縮径及び拡径時における脱落を防止する脱落防止爪が前記留め金具内部に設けられることを特徴とする外装パネル用の胴縁と留め金具の構造。
【請求項３】
請求項１又は請求項２に記載の外装パネル用の胴縁と留め金具の構造であって、前記リングバネは前記留め金具の両側面の開口部からそれぞれ１箇所毎又は２箇所毎突出するリング形状であることを特徴とする外装パネル用の胴縁と留め金具の構造。
【請求項４】
請求項１乃至請求項３のいずれか１項に記載の外装パネル用の胴縁と留め金具の構造であって、前記留め金具に設けられる取付片の挟込部のネジ用の差込穴の周囲が凹状リブ構造（取付片から見て凹状）であることを特徴とする外装パネル用の胴縁と留め金具の構造。
【請求項５】
請求項１乃至請求項４のいずれか１項に記載の建築物の外壁本体に設けられる外装パネル用の胴縁と留め金具の構造であって、
前記留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴とする外装パネル用の胴縁と留め金具の構造。
【請求項６】
請求項１乃至請求項５のいずれか１項に記載の外装パネル用の胴縁と留め金具の構造であって、前記可撓側面部の先端部は留め金具の底面に略平行な接触面を備えることを特徴とする外装パネル用の胴縁と留め金具の構造。
【請求項７】
請求項１乃至請求項６のいずれか１項に記載の外装パネル用の胴縁と留め金具の構造であって、前記胴縁の両開口端部の開口内部に向けて立設されるストッパーは、両開口端部に直角に立設されるリップとリップ先端部から底面に向けて突設するフランジとからなることを特徴とする外装パネル用の胴縁と留め金具の構造。
【発明の詳細な説明】
【技術分野】
【０００１】
本発明は、外装パネル用の胴縁と留め金具の構造に関し、特に、胴縁が変形しても留め金具が容易に外れることなく、安定して固着が維持できる技術に関する。
【背景技術】
【０００２】
従来、外装パネルを建築物の外壁本体に取付けるための胴縁は、加工性や取付けが容易であるとの理由から主として木材が使用され、外装パネルの胴縁への取付けに関しては多くの場合釘が使用されている。
【０００３】
この場合、釘頭が露出しているので錆びが発生しやすいため、外装パネルが不燃性で耐久性を持ち合わせていても建物全体としては耐久性が劣るという問題があった。さらに、木材の経年変化による劣化が避けられず、木材の反りや腐朽が生じ易いという欠点があるため、固定釘が浮き上がり外装パネルが脱落することがあった。  
これらの問題点を解決するために、特許文献１の記載が知られている。特許文献１によれば、図１０、図１１に示すように、建築物の外壁本体６１に外装パネル６２用の胴縁６３と留め金具６４が設けられ、胴縁６３は屋外側に開口を有する断面構造で、釘６５によって胴縁６３の取付部６６を貫き外壁本体６１に固定される。
【０００４】
留め金具６４の正面部６７の両側には係合部６９が設けられ、係合部６９は胴縁６３の嵌合部６８に挿入される。ここで、係合部６９は少し外側に開くように設けられている。
【０００５】
このため、留め金具６４は係合部６９が胴縁６３の嵌合部６８に弾性的に挿入収容されるので、大きな外力が加えられなければ胴縁６３に固着した状態を保持することができるが、留め金具６４を引張れば胴縁６３内を嵌合部６８に沿って自由にスライドさせることができる。
【０００６】
そして、留め金具６４には、支持片７０が係合部６９と反対側に突出して設けられ、支持片７０には上支持片７１と下支持片７２とを備え、この上支持片７１と下支持片７２によって上下の外装パネル６２が支持される。
【０００７】
このように、留め金具６４は、胴縁６３の中を上下に自由にスライドすることができるので、留め金具６４を外装パネル６２に合わせて任意の位置に取付けることができて外装パネルの脱落もなくなる。
【特許文献１】実開平５−３５９４４号公報
【発明の開示】
【発明が解決しようとする課題】
【０００８】
建物外壁を形成するときには、一般に実部（雄実、雌実）を上下端に設けた外装パネルが用いられ、最初に下側の外装パネルを留め金具を介して胴縁に取付けた後に、下側の外装パネル上に上側の外装パネルの実部を合わせて載せて順次外装パネルを取付けるという作業がおこなわれる。
【０００９】
ところが、上記の外装パネルの胴縁への取付け構造では、留め金具を胴縁に装着するのに、胴縁の長さ方向の端部から留め金具を挿入しなければならない。  
そして、作業者は、それぞれの外装パネルの取付け毎に、外装パネルの配置箇所から離れて胴縁の長さ方向の端部がある高所まで移動して胴縁内に留め金具を挿入しなくてはならないので作業効率が大変悪い。
【００１０】
このため、すでに提案している考えであるが、胴縁の長さ方向の任意の箇所で留め金具を胴縁に簡単に装着可能にし、外装パネルの取付けの作業性が向上する外装パネル用の胴縁と留め金具がある。
【００１１】
その構成は、図１２に示すように、外壁本体１に設けられる外装パネル２用の胴縁３は屋外側に開口３ａを有する底面５と２側面６とからなる断面コ字状の長尺材で、両開口端部７には開口内部に向けてストッパー８が立設される。
【００１２】
このストッパー８は、両開口端部７に直角に取付けられるリップ８ａとしての短辺と、このリップ８ａの先端部から側面６に平行で底面５に向けて設けられるフランジ８ｂとで形成される。
【００１３】
留め金具４は底面１０と２側面１１とからなる断面コ字状の短尺材で、胴縁３の長手方向の任意の位置に留め金具４を嵌着するように、留め金具４の両側面１１には係止突起１４が突設される。
【００１４】
係止突起１４は、胴縁３の対向するストッパー８間の隙間（開口３ａ）から留め金具４を胴縁３の内部に挿入する際にストッパー８を介して胴縁３の両側面６を徐々に弾性的に押し広げる曲面のガイド面１２と、留め金具４を胴縁３内に挿入した際に屋内側からストッパー８に係止させる係止面１３とを備えている。
【００１５】
さらに、前記留め金具４の両側面１１は複数のスリット１５により分割されて不撓側面部１６と可撓側面部１７に区分され、この可撓側面部１７は不撓側面部１６よりも断面コ字状の内部側に傾斜するとともにその先端部１８が不撓側面部１６の先端部１９よりも突出して形成される。この可撓側面部１７の先端部１８が前記胴縁３の底面５に押し当てられることで可撓側面部１７が撓み、その反力により前記係止突起１４を前記ストッパー８に弾性的に押し当てることができる。
【００１６】
この構成であれば、留め金具４を胴縁３の長さ方向の任意位置で押し込んで装着してから所定の場所までスライドすることができる。
【００１７】
ところが、係止面１３が水平構造なので留め金具４を胴縁３に挿入した際に、胴縁３が外側に開いていると留め金具４が横方向に移動する恐れがあった。
【００１８】
特に、胴縁３はメーカーによって寸法のバラツキがあり微妙に形状が異なるため留め金具４との嵌め合いに影響が発生していた。
【００１９】
さらに、ＡＬＣパネルに胴縁３を取付けて留め金具４で金属サイディングを現場施工したときに、地震等によりＡＬＣパネルが変形するとその外力で胴縁３も変形するということが発生していた。
【００２０】
このため、図１３に示すように、係止突起１４の係止面１３が平面状で、ストッパー８のフランジ８ｂに対して直角に当接する構成なので、胴縁３が矢印で示すように外側に変形している場合には留め金具４が横方向に移動する可能性が生じるので、ストッパー８が係止面１３を滑って係止突起１４から外れてしまうという問題があった。
【００２１】
そこで、本発明は、胴縁が変形しても留め金具が容易に外れることなく、安定して固着が維持できる外装パネル用の胴縁と留め金具の構造を提供することを目的とする。
【課題を解決するための手段】
【００２２】
請求項１の発明は、建築物の外壁本体に設けられる外装パネル用の胴縁と留め金具の構造であって、前記胴縁は屋外側に開口を有する底面と２側面とからなる断面コ字状の長尺材で、両開口端部には開口内部に向けてストッパーが立設され、前記留め金具は底面と２側面とからなる断面コ字状の短尺材で、前記底面の外側に、外装パネルを挟込んでネジにより留め金具の底面に押付けて固着する取付片を備え、この取付片は留め金具と同幅で留め金具に平行な略矩形の挟込部と、留め金具から突起して挟込部の一辺と固着する突起部とからなり、
前記留め金具の底面に前記ネジ用の穿孔穴を設け、この穿孔穴に対向して取付片の挟込部に前記ネジ用の差込穴を設け、
前記胴縁の長手方向の任意の位置に前記留め金具を嵌着するように前記留め金具の両側面に設けられる開口部から突出するリングバネを備え、前記胴縁の対向するストッパーの隙間から前記留め金具を前記胴縁の内部に挿入する際に、前記リングバネは前記留め金具の両側面まで縮径するとともに前記留め金具を胴縁内に挿入すると拡径して前記胴縁の側面と前記ストッパーに係止するリングバネであることを特徴としている。
【００２３】
この外装パネル用の胴縁と留め金具の構造であれば、前記留め金具にリングバネを備えるので、前記胴縁の対向するストッパーの隙間から前記留め金具を前記胴縁の内部に挿入する際に、前記リングバネは前記留め金具の両側面まで縮径するとともに前記留め金具を胴縁内に挿入すると拡径して前記胴縁の側面と前記ストッパーに係止できる。
【００２４】
さらに、前記留め金具の底面の外側に、留め金具と同幅で留め金具に平行な略矩形の挟込部を持つ取付片を備え、この取付片によって外装パネルを挟込んで固着することができる。
【００２５】
また、留め金具の底面に前記ネジ用の穿孔穴を設け、この穿孔穴に対向して取付片の挟込部に前記ネジ用の差込穴を設けるので、外装パネルを留め金具の底面と取付片の挟込部（留め金具の幅と同幅）との間にネジで密着して固定することができる。
【００２６】
請求項２の発明は、請求項１に記載の外装パネル用の胴縁と留め金具の構造であって、前記リングバネの縮径及び拡径時における脱落を防止する脱落防止爪が前記留め金具内部に設けられることを特徴としている。
【００２７】
請求項３の発明は、請求項１又は請求項２に記載の外装パネル用の胴縁と留め金具の構造であって、前記リングバネは前記留め金具の両側面の開口部からそれぞれ１箇所毎又は２箇所毎突出するリング形状であることを特徴としている。
【００２８】
請求項４の発明は、請求項１に記載の外装パネル用の胴縁と留め金具の構造であって、前記留め金具に設けられる取付片の挟込部のネジ用の差込穴の周囲が凹状リブ構造（取付片から見て凹状）であることを特徴としている。
【００２９】
このため、取付片の強度を増すことができる。
【００３０】
請求項５の発明は、請求項１又は請求項２に記載の建築物の外壁本体に設けられる外装パネル用の胴縁と留め金具の構造であって、前記留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴としている。
【００３１】
この外装パネル用の胴縁と留め金具の構造であれば、可撓側面部は不撓側面部よりも断面コ字状の内部側に傾斜するとともにその先端部が不撓側面部よりも突出して形成されるので、前記可撓側面部の先端部が前記胴縁の底面に押し当てられることで可撓側面部が撓んで前記係止突起が前記ストッパーに弾性的に押し当てられる。
【００３２】
請求項６の発明は、請求項１乃至請求項３に記載の外装パネル用の胴縁と留め金具の構造であって、前記可撓側面部の先端部は留め金具の底面に略平行な接触面を備えることを特徴としている。
【００３３】
この外装パネル用の胴縁と留め金具の構造であれば、前記可撓側面部の先端部の接触面が胴縁の底面に対して面接触することができる。
【００３４】
請求項７の発明は、請求項１乃至請求項４に記載の外装パネル用の胴縁と留め金具の構造であって、前記胴縁の両開口端部の開口内部に向けて立設されるストッパーは、両開口端部に直角に立設されるリップとリップ先端部から底面に向けて突設するフランジとからなることを特徴としている。
【００３５】
この外装パネル用の胴縁と留め金具の構造であれば、フランジが突設されるので、ストッパーの強度を補強することができる。
【発明の効果】
【００３６】
請求項１の発明によれば、前記留め金具にリングバネを備えるので、リングバネを縮径して前記留め金具を胴縁内に挿入するとともに、前記留め金具はリングバネが拡径することで前記胴縁の側面と前記ストッパーに係止できる。
【００３７】
このため、留め金具を胴縁の長さ方向の任意位置で装着できて、所定の位置までスライドできる。
【００３８】
さらに、胴縁が変形した場合でもリングバネによって常に前記胴縁の側面及び前記ストッパーに係止することができるので、留め金具が容易に外れることなく安定して固着維持できる。  
さらに、前記留め金具の底面に前記ネジ用の穿孔穴を設け、この穿孔穴に対向して取付片の挟込部に前記ネジ用の差込穴を設けるので、外装パネルを留め金具の底面と取付片の挟込部（留め金具の幅と同幅）との間にネジで密着して固定することができるので、装着した外装パネルに風圧が掛かっても外装パネルが捲れて剥がれることがない。
【００３９】
請求項２の発明によれば、前記リングバネの縮径及び拡径時における脱落を防止する脱落防止爪が前記留め金具内部に設けられるので、前記リングバネは安定して縮径及び拡径でき、胴縁が変形した場合でもリングバネによって常に前記胴縁の側面及び前記ストッパーに係止できて留め金具が容易に外れることがなく安定して固着が維持できる。
【００４０】
請求項３の発明によれば、前記リングバネは前記留め金具の両側面の開口部からそれぞれ１箇所毎又は２箇所毎突出するリング形状なので、現場状況に応じてリング形状を選ぶことができるので汎用性が得られる。
【００４１】
請求項４の発明によれば、取付片の強度を増すことができるので、装着した外装パネルに風による負圧が掛かっても、確実に外装パネルが捲れず剥がれることがなく信頼性が向上する。また、凹状リブ構造はネジの螺合時に座金の役目も果たすので、ネジによる締め付け効果が向上する。
【００４２】
請求項５記載の発明によれば、前記可撓側面部の先端部が前記胴縁の底面に押し当てられることで可撓側面部が撓んで前記係止突起が前記ストッパーに弾性的に押し当てられるので、留め金具が胴縁の長さ方向の任意位置で装着できるとともに、胴縁に精度誤差が生じても留め金具がガタツクことなく安定して外装パネル用を保持することができる。
【００４３】
請求項６記載の発明によれば、前記可撓側面部の先端部は胴縁の底面に対して（線接触ではなく）面接触することができるので、胴縁に精度誤差が生じても留め金具を胴縁に安定して保持できるので外装パネルを安定して取付けることができる。
【００４４】
請求項７の発明によれば、フランジが突設されてストッパーの強度を補強することができるので、留め金具を胴縁に安定して保持できるので外装パネルを安定して取付けることができる。
【発明を実施するための最良の形態】
【００４５】
以下に、本発明の第１の実施形態を図１〜図８に基づいて説明する。
【００４６】
＜外装パネル用の胴縁と留め金具の構成＞
図１、図２に示すように、本発明の建築物の外壁本体１に設けられる外装パネル２用の胴縁３と留め金具４は、前記胴縁３は屋外側に開口３ａを有する底面５と２側面６とからなる断面コ字状の長尺材で、ビス等の固着具３３で外壁本体１に固定され、両開口端部７には開口内部に向けてストッパー８が立設される。
【００４７】
このストッパー８は、両開口端部７に直角に取付けられるリップ８ａとしての短辺と、このリップ８ａの先端部から側面６に平行で底面５に向けて設けられるフランジ８ｂとで形成される。
【００４８】
そして、前記留め金具４は底面１０と２側面１１とからなる断面コ字状の短尺材で、前記留め金具４の底面１０の外側に、外装パネル２を挟込んで固着具３１により留め金具４の底面１０に押付けて固着する取付片２１を備え、この取付片２１は留め金具４と同幅で留め金具４に平行な略矩形の挟込部２１ａと、留め金具４から突起して挟込部２１ａの一辺と固着する突起部２１ｂとからなる。
【００４９】
前記留め金具４の底面１０に前記固着具３１用の穿孔穴３１ａを設け、この穿孔穴３１ａに対向して取付片２１の挟込部２１ａに前記固着具３１用の差込穴３１ｂを設ける。前記固着具３１は穿孔穴３１ａに螺合する。
【００５０】
さらに、前記胴縁３の長手方向の任意の位置に前記留め金具４を嵌着するように、前記留め金具４の両側面１１に設けられる開口部４２から突出するリングバネ４４を備える。
【００５１】
このリングバネ４４は前記胴縁３の対向するストッパー８の開口３ａから前記留め金具４を前記胴縁３の内部に挿入する際に、前記留め金具４の両側面６まで縮径することで挿入が容易にでき、前記留め金具４を胴縁３内に挿入すると自然に弾力的に拡径して前記胴縁３の側面６と前記ストッパー８に当接して係止することができる。
【００５２】
さらに、前記留め金具４の両側面１１は複数のスリット１５により分割されて不撓側面部１６と可撓側面部１７に区分され、この可撓側面部１７は不撓側面部１６よりも断面コ字状の内部側に傾斜するとともにその先端部１８が不撓側面部１６の先端部１９よりも突出して形成される。この可撓側面部１７の先端部１８が前記胴縁３の底面５に押し当てられることで可撓側面部１７が撓み、その反力により前記リングバネ４４を前記ストッパー８に弾性的に押し当てることができる。
【００５３】
取付片２１と留め金具４の底面１０との間に隙間が形成されるが、取付片２１には座繰部２２が設けられるので、外装パネル２を受け入れる隙間Ｓは座繰部２２と底面１０との間に形成される。
【００５４】
ここで、外装パネル２は図示しない内部の断熱材を両側から薄肉の金属板層で被覆してなる金属サイディングが用いられる。外装パネル２の上端部２５には凸状の雄実２６が突設され、外装パネル２の裏面側の金属板層は雄実２６を超えて被取付片２７が突設（延設）される。被取付片２７の先端部は金属サイディングの薄肉の被覆金属板層で折り込まれて保護されている。
【００５５】
外装パネル２の下端部２８には凹状の雌実２９が設けられているので、隣接する外装パネル２の上端部２５の凸状の雄実２６と実結合することができる。さらに、この外装パネル２の下端部２８の裏面側には、留め金具４の取付片２１を収容するための切欠き３０が形成される。
【００５６】
そして、外装パネル２の被取付片２７は留め金具４の取付片２１と底面１０の間に挟み込まれるとともにビス等の固着具３１を穿孔穴３１ａに螺合することにより固着される。
【００５７】
なお、ここで胴縁３の主要寸法を、２側面６間の内距離がＲ１、両フランジ８ｂ間の隙間（開口３ａ）の距離がＲ２、側面６の外形高さがＨ１、フランジ８ｂと底面５間の開口距離がＨ２と表しておく。
【００５８】
＜留め金具４の詳細構造＞
図３、図４に示すように、断面コ字状の留め金具４の底面１０は例えば長さＬ１＝８０ｍｍ、幅Ｍ１＝４０ｍｍに形成され、底面１０に取付片２１が形成される。取付片２１の挟込部２１ａは底面１０の幅Ｍ１と同じ幅で略中央部３６から長さＮ２=略２６ｍｍの領域に、底面１０と平行に隙間Ｓ１＝１、８ｍｍで形成される。さらに挟込部２１ａの一辺に固着する突起部２１ｂを介して固着部２１ｃが略中央部３６から長さＬ４=略１６ｍｍの領域まで連続し、固着部２１ｃが底面１０に一対のネジ５７で固着される。
【００５９】
取付片２１の挟込部２１ａの略中心部（略中央部３６から長さＮ３の位置）には外装パネル２取付け用の穿孔穴３１ａが形成される。さらに、挟込部２１ａの穿孔穴３１ａを囲む矩形の座繰部２２は深さＳ２＝１ｍｍで凹状リブ構造に形成される。
【００６０】
なお、外装パネル２の被取付片２７を挿入しやすくするために、取付片２１の自由端部３９から長さＳ４＝３ｍｍに亘って高さＳ３＝１、８ｍｍだけ間口が開いて形成される。
【００６１】
弾性体である直径略１、５ｍｍのリングバネ４４は自然状態では長径Ｌ２＝６５ｍｍ、短径Ｍ２＝５５ｍｍの楕円形状で、前記留め金具４の両側面６の一対の開口部４２からそれぞれ１箇所毎突出しているが、前記留め金具４を前記胴縁３に挿入する際には前記留め金具４の近傍まで縮径して挿入される。
【００６２】
開口部４２は留め金具４の両側面１１に長さＬ３＝６０ｍｍ、高さＴ２＝２ｍｍで、底面１０からＴ１＝３ｍｍの位置に形成される。
【００６３】
また、前記留め金具４内部には前記リングバネ４４の縮径及び拡径時における前記留め金具４内部への脱落を防止するための脱落防止爪４３がリングバネ４４の下方にＬ３＝２０ｍｍ、厚さＴ３＝２ｍｍで設けられるので、リングバネ４４が安定して縮径及び拡径できる。
【００６４】
この脱落防止爪４３は、留め金具４の両側面１１をパンチング（剪断）により側面１１を利用して形成されるので、パンチング加工時に自然に付加される曲線状態で形成されている。
【００６５】
留め金具４の２側面１１は、幅Ｐ３＝２ｍｍの４条のスリット１５によって、５分割され、一端部３５から順に、幅Ｐ１＝１８ｍｍの不撓側面部１６と幅Ｐ２＝１０ｍｍの可撓側面部１７が交互に配列される。ここで、スリット１５は底面１０から長さＹ＝８ｍｍの位置まで形成される。
【００６６】
図５に示すように、不撓側面部１６と可撓側面部１７のそれぞれの断面形状は異なる形状である。
【００６７】
不撓側面部１６の断面形状は、側面１１（幅Ｍ１＝４０ｍｍ）の位置で、高さＨ３＝１９ｍｍで、先端部１９は先端部１９から高さＨ４＝５ｍｍの位置５０のところから内側に長さＨ５＝１ｍｍだけ折れ曲がって（角度θ=略１０度）形成される。
【００６８】
可撓側面部１７の断面形状は、側面１１（幅Ｍ１＝４０ｍｍ）の位置で、高さＨ５＝２０ｍｍで形成され、不撓側面部１６に比べて長さＹ１＝１ｍｍ（Ｈ５ーＨ３）だけ側面１１が高い。そして、不撓側面部１６は底面１０から長さＹ＝８ｍｍの位置５１（スリット１５の上端５１に一致する）から内側に長さＨ７の位置５２まで折れ曲がって（角度θ=略１０度）形成される。このとき、位置５２は先端部１８から長さＨ６のところであり、不撓側面部１６における先端部１９から長さＨ４の位置と同レベル位置である。
【００６９】
さらに、位置５２から先端部１８にかけて長さＨ８折れ曲がって形成され、先端部１８には底面５に略平行な接触片５３（接触面）が長さＨ９=略５ｍｍで形成される。
【００７０】
このように、側面１１から先端部１８まで２度折れ曲がった合計長さは、Ｈ７＋Ｈ８＝２ｍｍに形成される。
【００７１】
なお、留め金具４に使用される板材は０、８ｍｍの鋼材が用いられる。
【００７２】
＜胴縁３と留め金具４の相対関係＞
上記(図１における)の胴縁３の主要寸法と留め金具４の相対関係において、リングバネ４４の短径Ｍ２＝５５ｍｍは、胴縁３の２側面６間の内距離Ｒ１より大きく形成される。そして、留め金具４の底面１０からリングバネ４４までの長さをＴ１とすると、不撓側面部１６の先端部１９からリングバネ４４を含む長さ（Ｈ３−Ｔ１）は胴縁３のフランジ８ｂと底面５間の開口距離Ｈ２と略同じ長さに形成される。また、不撓側面部１６の高さH３は胴縁３の側面６の外形高さＨ１と同じか少し高く形成される。
【００７３】
それぞれの関係を式で表すと、
Ｍ２＞Ｒ１  （Ｈ３−Ｔ１）≒Ｈ２    Ｈ３≧Ｈ１である。
【００７４】
＜外装パネル用の胴縁と留め金具の作用＞  
図６に示すように、建築物の外壁本体１に設けられる外装パネル２は胴縁３に取付けられた留め金具４を介して、外壁本体１の下から上に向かって順番に横張りで組付けられる。
【００７５】
より詳しくは、上記のように、留め金具４を任意の位置で胴縁３に嵌着して、その留め金具４をスライド下降させて、留め金具４の取付片２１を外装パネル２の被取付片２７に被せる。そして、ビス等の固着具３１が底面１０の穿孔穴３１ａに螺合することにより被取付片２７と取付片２１を固着する。
【００７６】
さらに、次の外装パネル２を上から重ねる際に、下段の外装パネル２の上端部２５の凸状の雄実２６に、上段の下端部２８の凹状の雌実２９を被せて位置決めし、固着具３１によって被取付片２７と取付片２１は固着される。
【００７７】
このとき、取付片２１には座繰部２２が設けられるので固着具３１の頭は座繰部２２から突出しないとともに、次の外装パネル２の下端部２８の裏面側には留め金具４の取付片２１を収容するための切欠き３０が形成されるので、上下の外装パネル２は容易に重ねることができる。
【００７８】
なお、これ以外の座繰部２２の役割として、ビス等の固着具３１を外装パネル２に螺合して固着するときに、締め付け面圧を高めて固着効果を高めるという所謂座金効果もある。
【００７９】
さらに、上記のように、外装パネル２（金属サイディング）の被取付片２７の先端部が、金属サイディングの薄肉の被覆金属板層で折り込まれて保護されているので、被取付片２７の先端部は被取付片２７の他の部分よりも折り込まれている分だけ厚肉部になるが、座繰部２２はこの厚肉部から逃げて被取付片２７（の他の部分）に当接することができるので、座繰部２２によって確実に被取付片２７を固着できるという効果を得ることができる。
【００８０】
図７（ａ）、（ｂ）に示すように、留め金具４を胴縁３に取付けるには、リングバネ４４を留め金具４の両側面１１近傍まで矢印の方向に押し込む。このとき、リングバネ４４は細長い長円形になる。
【００８１】
この状態で、留め金具４を胴縁３に直接押し込むと、ストッパー８を乗り越えた時点でリングバネ４４が瞬間的に拡径して胴縁３の両側面１１に当接して係止する。
【００８２】
ここで、上記のように、可撓側面部１７の側面１１は高さＨ５＝２０ｍｍで、不撓側面部１６に比べて長さＹ１＝１ｍｍ（Ｈ５ーＨ３）だけ長いので胴縁３の底面５には可撓側面部１７の先端部１８が当接する。
【００８３】
このため、可撓側面部１７は２段階に内側に折れ曲がっているので、容易に弾性的に撓むことができるので、その反力によりリングバネ４４を胴縁３のストッパー８（フランジ８ｂ）に常に安定して押付けて係止させることができる。  
このように、可撓側面部１７のスプリング効果により可撓側面部１７の先端部１８と胴縁３の底面５との間に常時隙間が発生しないのでガタツキが生じない。
【００８４】
このとき同時に、リングバネ４４は胴縁３の側面６に常時弾力的に当接して係止するので、胴縁３が変形してもリングバネ４４が拡径して追随することができるので留め金具４は胴縁３から外れることがない。
【００８５】
可撓側面部１７が、両側面１１に２箇所毎設けられているので、安定してスライドできる。可撓側面部１７により、留め金具４が任意の位置に保持できるので、仮止め時に留め金具４が胴縁３に沿って落下しないので、作業効率が向上する。
【００８６】
さらに、留め金具４がスライド可能なので、外装パネル２の熱伸縮によって生じる内部応力を逐次逃がすことができるので、外装パネル２の変形や取付部の破損が生じることがない。
【００８７】
＜外装パネル２と取付片２１の関係＞
図８（ａ）、（ｂ）、に示すように、外装パネル２の被取付片２７は取付片２１の挟込部２１ａと底面１０間にネジ等の固着具３１により一体的に固着されるので、風による負圧が掛かっても底面１０の剛性が高いため挟込部２１ａ（及び被取付片２７）が捲れて剥がれることがないので外装パネル２が剥がれることはない。
【００８８】
なお、前記留め金具４の底面１０に前記固着具３１用の穿孔穴３１ａ（ネジよりも小さい径）を設け、この穿孔穴３１ａに対向して取付片２１の挟込部２１ａに前記固着具３１用の差込穴３１ｂ（ネジ径よりも大きい孔）を設けるので、固着具３１は底面１０のみに羅合し、外装パネル２は底面１０と取付片２１にサンドイッチ状態に挟み込まれるので、ガタの生じない状態で固着することができる。
【００８９】
＜第２の実施形態＞
図９に示すように、リングバネ４４ａは長円形の一対の辺が内側に窪んだ形状に形成される。このとき、リングバネ４４ａ全体は平面状に形成される。  
このリングバネ４４ａであれば、胴縁３に対して２点接触から４点接触になるのでさらに安定して胴縁３に係止することができる。
【００９０】
以上、本発明の実施形態を図面に基づいて説明したが、上記の実施例はいずれも本発明の一例を示したものであり、本発明はこれらに限定されるべきでないということは言うまでもない。
【００９１】
リングバネは独立した２組のリングバネで形成してもよい。この場合、前記留め金具４の開口部４２はそれぞれの側面に独立した２組の開口部４２を設けるのが好ましい。
【００９２】
リングバネの脱落防止爪４３は留め金具４の両側面１１をパンチング（剪断）する替わりに、別途用意した脱落防止爪４３を両側面１１に固着してもよい。
【００９３】
穿孔穴３１ａに螺合する固着具３１は（ネジ付き）ボルトでもよい。
【図面の簡単な説明】
【００９４】
【図１】本発明の第１の実施形態における、建築物の外壁本体に設けられる外装パネル用の胴縁と留め金具の構造を示す断面透視図である。
【図２】本発明の第１の実施形態における、図１のＡ−Ａ矢視図である。
【図３】本発明の第１の実施形態における、留め金具の平面図である。
【図４】本発明の第１の実施形態における、図３のＢ−Ｂ矢視図である。
【図５】本発明の第１の実施形態における、図４のＣ−Ｃ矢視図である。
【図６】本発明の第１の実施形態における、建築物の外壁本体に設けられる外装パネル用の胴縁と留め金具の配置を示す斜視図である。
【図７】本発明の第１の実施形態における、（ａ）は胴縁に留め金具を挿入する状態を示す平面図、（ｂ）は図７（ａ）のＤ−Ｄ矢視図である。
【図８】(ａ)は、本発明の第１の実施形態における、留め金具の斜視図、（ｂ）は、外装パネル２が留め金具４の取付片２１と底面１０により挟込んで固着される状態を示す断面図である。
【図９】本発明の第２の実施形態におけるリングバネ４４ａの平面図である
【図１０】従来の、建築物の外壁本体に設けられる外装パネル用の胴縁と留め金具の構造を示す断面図である。
【図１１】従来の、留め金具の構造を示す斜視図である。
【図１２】既に提案されている、建築物の外壁本体に設けられる外装パネル用の胴縁と留め金具の構造を示す断面透視図である。
【図１３】既に提案されている、建築物の外壁本体に設けられた外装パネル用の胴縁が広がったときの留め金具の係止突起１４の状態を示す断面透視図である。
【符号の説明】
【００９５】
１  外壁本体
２  外装パネル
３  胴縁
４  留め金具
３ａ  開口
５  底面
６  側面
７  開口端部
８  ストッパー
１１  側面
４２  開口部
４４  リングバネ
【図１】
2007032077.tif 000003
【図２】
2007032077.tif 000004
【図３】
2007032077.tif 000005
【図４】
2007032077.tif 000006
【図５】
2007032077.tif 000007
【図６】
2007032077.tif 000008
【図７】
2007032077.tif 000009
【図８】
2007032077.tif 000010
【図９】
2007032077.tif 000011
【図１０】
2007032077.tif 000012
【図１１】
2007032077.tif 000013
【図１２】
2007032077.tif 000014
【図１３】
2007032077.tif 000015